(57)【要約】    【課題】  放送信号を受信して復号する放送受信装置であって、小寸法且つ低コストな放送受信装置を提供することである。    【解決手段】  放送受信装置が、デジタル放送受信用の第１のアンテナと、アナログ放送受信用の第２のアンテナと、第１または第２のアンテナが受信した信号を同調する同調回路と、第１及び第２のアンテナのいずれか一方が受信した信号のみを選択的に同調回路に入力させる切り換えスイッチと、を有する構成として、上記問題を解決した。【選択図】      図１
2005204059.tif 000002
【特許請求の範囲】
【請求項１】
デジタル放送受信用の第１のアンテナと、
アナログ放送受信用の第２のアンテナと、
前記第１または第２のアンテナが受信した信号を同調する同調回路と、
前記第１及び第２のアンテナのいずれか一方が受信した信号のみを選択的に同調回路に入力させる切り換えスイッチと、
を有する、デジタル／アナログ共用放送受信装置。
【請求項２】
前記受信装置は、前記第１及び第２のアンテナが受信した信号の受信レベルに基づいて前記第１及び第２のアンテナが受信した信号のいずれを前記同調回路に入力させるのかを選択する、切り換え制御手段を有することを特徴とする、請求項１に記載のデジタル／アナログ共用放送受信装置。
【請求項３】
前記第１のアンテナが受信するデジタル放送番組は、前記第２のアンテナが受信するアナログ放送番組と同一の内容を含むことを特徴とする、請求項２に記載のデジタル／アナログ共用放送受信装置。
【請求項４】
移動体に搭載される地上波テレビ受信機であって、
アンテナ、チューナ及びデジタル復調部を少なくとも２系統有し、合成ダイバーシティによってデジタルテレビジョン放送の映像・音声出力を行なうと共に、前記デジタルテレビジョン放送復調部の複数の系統のうちの一つの系統は、該一つの系統のチューナがアナログテレビジョン放送用としても用いられる共用チューナとして構成されるデジタルテレビジョン放送復調部と、
地上波アナログテレビジョン放送の復調を行い映像・音声出力を行なうアナログテレビジョン放送復調部と、
前記デジタルテレビジョン放送の受信レベルの強度に応じて、前記共用チューナに入力すべき信号をアナログテレビジョン放送信号とデジタルテレビジョン放送信号の間で切り替えるとともに、前記共用チューナ部にアナログテレビジョン放送信号が入力される場合には前記アナログテレビジョン放送復調部によりアナログテレビジョン放送の復調を行い、前記共用チューナ部にデジタルテレビジョン放送信号が入力される場合には前記デジタルテレビジョン放送復調部によりデジタルテレビジョン放送の復調を行うよう制御する切り換え制御手段と、
を備えることを特徴とする地上波テレビ受信機。
【請求項５】
アナログテレビジョン放送用の受信アンテナを更に備え、
前記切り換え制御手段は、前記デジタルテレビジョン放送を復調する場合には前記一つの系統におけるアンテナを前記共用チューナに接続する一方、前記アナログ放送を復調する場合には前記アナログテレビジョン用の受信アンテナを前記共用チューナに接続するよう制御すること、
を特徴とする請求項４に記載の地上波デジタルテレビジョン受信装置。
【請求項６】
前記デジタルテレビジョン放送の受信レベルは、前記デジタルテレビジョン放送復調部における前記共用チューナを有する一つの系統以外のいずれかの系統において検出されること、
を特徴とする請求項５または請求項６に記載の地上波デジタルテレビジョン受信装置。
【請求項７】
前記切り換え制御手段は、前記受信レベルが所定の復調限界を一定時間下回った場合に、前記デジタルテレビジョン放送からアナログテレビジョン放送の受信への切り換えを行なうことを特徴とする請求項４から請求項６のいずれかに記載の地上波デジタルテレビジョン受信装置。
【請求項８】
前記切り換え制御手段は、前記受信レベルが所定の復調限界を一定時間上回った場合に、前記アナログテレビジョン放送の受信からデジタルテレビジョン放送の受信への切り替えを行なうことを特徴とする請求項４から請求項７のいずれかに記載の地上波デジタルテレビジョン受信装置。
【請求項９】
前記切り換え制御手段は、前記アナログテレビジョン放送の受信を行う場合には、直前のデジタルテレビジョン受信において受信されていた系列局と同じ系列局のアナログテレビジョン放送を受信するよう制御すること、を特徴とする請求項４から請求項８のいずれかに記載の地上波デジタルテレビジョン受信装置。
【請求項１０】
前記切り換え制御手段は、前記アナログテレビジョン放送の受信を行う場合には、直前のデジタルテレビジョン受信において受信されていた系列局と同じ系列局のアナログテレビジョン放送を受信するよう制御を行なうと共に、前記同じ系列局のアナログテレビジョン放送が無いと判断される場合には、さらに、前記系列局以外の受信可能な放送局のアナログテレビジョン放送をサーチして受信可能な放送を受信すること、を特徴とする請求項４から請求項９のいずれかに記載の地上波デジタルテレビジョン受信装置。
【請求項１１】
前記デジタル復調部は、ＯＦＤＭ復調を行うＯＦＤＭ復調部として構成されること、を特徴とする請求項４から請求項１０のいずれかに記載の地上波デジタルテレビジョン受信装置。
【発明の詳細な説明】
【技術分野】
【０００１】
本発明は、放送信号を受信して復号する放送受信装置、および地上波デジタルテレビジョン放送信号を受信する地上波デジタルテレビジョン受信装置に関する。
【背景技術】
【０００２】
近年、従来のアナログテレビジョン放送に代わって、デジタルテレビジョン放送が利用され始めている。デジタルテレビジョン方式は、アナログテレビジョン放送と異なり、映像/音声の劣化が起こらないため、次世代の放送方式として期待されている。
【０００３】
しかしながら、デジタルテレビジョン放送を行うためには、中継局にデジタル放送用の設備を新設する必要があるため、現時点では、デジタルテレビジョン放送の放映エリアはアナログテレビジョン放送のものよりも狭い、限定されたエリアのみとなっている。このため、デジタルテレビジョン放送を自動車等の移動体内で閲覧する場合、移動体が放映エリア境界付近を移動している場合は、受信可能状態と受信不可状態とを頻繁に繰り返し、満足に番組を閲覧できないといった問題があった。
【０００４】
このような問題を解決するものとしては、例えば特許文献１に記載の放送受信装置が利用可能であると考えられる。特許文献１に記載の放送受信装置は、アナログ放送専用の受信装置とデジタル放送受信用の受信装置を組み合わせ、電波の受信状態に応じてアナログ放送とデジタル放送のいずれを受信するかを適宜切り換えるものである。デジタル放送とアナログ放送とは、所謂サイマル放送を行っている場合が多く、デジタル放送の番組と同一の内容の番組をアナログ放送でも放送している。従って、デジタル放送が受信不可となったときは(より放送エリアの広い)アナログ放送に切り換えることにより、移動体内に居る視聴者は、デジタル放送が受信不可となっても引き続き同一内容の番組を視聴可能である。
【特許文献１】特開平５−３４７７３６
【発明の開示】
【発明が解決しようとする課題】
【０００５】
しかしながら、特許文献１のような構成では、２つの受信装置を使用するため、装置全体の寸法が大きくなり、移動体への搭載には不向きなものとなる。また、装置全体の製造コストも上昇する。
【０００６】
特に、移動体においては、弱電界時であってもデジタル放送を受信できるように、放送電波を全方位から受信して合成する合成ダイバーシティ方式が採用されている場合が多い。合成ダイバーシティ方式は、複数のデジタル放送用受信装置を使用するものであるため、特許文献１のような構成の装置に合成ダイバーシティを用いる場合、少なくとも3つの受信装置が必要となり、受信装置全体の寸法は更に大きくなる。
【０００７】
そこで上記事情に鑑み、小寸法且つ低コストな放送受信装置を提供することを目的とする。
【課題を解決するための手段】
【０００８】
上記の課題を解決するため、請求項１に記載の放送受信装置は、デジタル放送受信用の第１のアンテナと、アナログ放送受信用の第２のアンテナと、第１または第２のアンテナが受信した信号を同調する同調回路と、第１及び第２のアンテナのいずれか一方が受信した信号のみを選択的に同調回路に入力させる切り換えスイッチと、を有する(請求項１)。
【０００９】
従って、本発明によれば、アナログ放送受信時とデジタル放送受信時とで同一の同調回路を使用するので、小寸法且つ低コストな放送受信装置が実現される。
【００１０】
また、放送受信装置が、第１及び第２のアンテナが受信した信号の受信レベルに基づいて前記第１及び第２のアンテナが受信した信号のいずれを前記同調回路に入力させるのかを選択する、切り換え制御手段を有してもよい(請求項2)。さらに、第１のアンテナが受信するデジタル放送番組は、第２のアンテナが受信するアナログ放送番組と同一の内容である。
【００１１】
このような構成とすると、第１のアンテナが受信しているデジタル放送番組が受信不可状態となると、自動的に同一番組を放映するアナログ放送番組に切り換わる。従って、視聴者は、デジタル放送番組が受信不可となっても、特にチャンネル切り換え操作等を行うことになく、引き続き番組を視聴できる。
【発明を実施するための最良の形態】
【００１２】
図１は本発明の実施形態のテレビジョン放送受信装置の概略構成を表す図である。
【００１３】
本実施形態においては、デジタルテレビジョン放送時は、大量のデジタルデータを効率よく搬送可能な、ＯＦＤＭ(直交周波数分割)方式を採用している。
【００１４】
ＯＦＤＭ方式は、送信側でデジタル信号をシリアル−パラレル変換して複数の並列シンボルとし、さらにこれを逆フーリエ変換して複数個の異なる周波数の直交サブキャリアを得、これをＤ／Ａ変換したＯＦＤＭ信号を送信するものである。受信機側では受信したＯＦＤＭ信号をＡ／Ｄ変換した後、フーリエ変換によって並列シンボルを得、さらにこれをパラレル−シリアル変換して復号化されたデジタル信号を得るものである。ＯＦＤＭ方式に置いてはサブキャリア同士が直交しているため、サブキャリア同士の周波数帯が一部重なり合ってもよいので、限られた周波数帯で大量のデータを送信できる。
【００１５】
一方、このＯＦＤＭ方式やアナログ放送を含む通信においては、信号減衰を防ぐために指向性の異なる複数のアンテナを用いて信号品質を向上させる、所謂ダイバーシティシステムが採用されていることが多い。ダイバーシティシステムは、切り換えダイバーシティシステムと合成ダイバーシティシステムとに大別される。
【００１６】
合成ダイバーシティシステムとは、複数のアンテナから受信した信号を合成することにより、信号のレベルを上昇させるものである。ただし、複数のアンテナから受信した信号の到達時刻のそれぞれは、その信号受信経路に応じて異なる。即ち、ビルなどに反射した信号は、送信機よりダイレクトに受信した信号よりも若干遅れて到達する。(以後、先に到達した信号を希望波、遅れて到達した信号を遅延波と称する。)
【００１７】
ＯＦＤＭ方式においては、希望波に遅延波が合成されると、１つ前のシンボルが重なってしまい，各シンボルのデータを復調する際に特性が劣化してしまう。このような劣化を防ぐため、例えば特許文献１の構成のように、信号送信時に各サブキャリアにガードインターバルと呼ばれる信号余裕期間を追加している。ガードインターバルとは、シンボルの波形の一部を巡回的に付加したものであり、遅延波の遅延時間がガードインターバルの時間以内であれば、自分自身のシンボルの重なりによる影響は避けられないものの、１つ前の別のシンボルの重なりを避けて復調することができる。すなわち、ガードインターバルを追加することにより、遅延波による劣化をある程度防止し、かつダイバーシティシステムを用いないときよりも信号品質の高い信号を得ることができる。
【００１８】
本実施形態の受信装置１００は、デジタル放送受信時は、マスターアンテナ１０ａが受信したマスター信号と、スレーブアンテナ１０ｂが受信したスレーブ信号とを合成する、合成ダイバーシティシステムを採用したものである。なお、アンテナ１０ａと１０ｂは、指向性の異なるアンテナである。
【００１９】
また、受信装置１００は、アナログ放送受信時は、アナログアンテナ１１ａ〜１１ｄが受信したアナログ放送信号の内、最も強度の強い信号をチューナ部に送るよう構成されている、切り換えダイバーシティシステムを採用したものである。なお、アナログアンテナ１１ａ〜１１ｄは、夫々指向性の異なるアンテナである。
【００２０】
最初に、デジタル放送受信手順に付き説明する。
【００２１】
マスターアンテナ１０ａによって受信された信号はチューナ部２０ａに送られる。チューナ部２０ａでは、ＵＨＦ同調回路２１ａによって所望の周波数バンドの信号(ＯＦＤＭ信号)が取り出され、次いでＰＬＬ７０ａと１ｓｔミキサ２２ａによってＯＦＤＭ信号の位相同調が行われる。次いで、帯域フィルタ２３ａによる帯域フィルタリング、２ｎｄミキサ２４ａによるダウンコンバート等が順次行われ、マスターＯＦＤＭ部３０ａが処理しやすいアナログ信号を生成する。生成されたアナログ信号は、マスターＯＦＤＭ部３０ａに送られる。
【００２２】
マスターＯＦＤＭ部３０ａは、チューナ部２０ａから送られたアナログ信号に対して、Ａ／Ｄ変換、シリアル−パラレル変換、高速フーリエ変換を順次実施し、複数のシンボルを得る。
【００２３】
一方、スレーブアンテナ１０ｂによって受信された信号はチューナ部２０ｂに送られる。チューナ部２０ｂでは、ＵＨＦ／ＶＨＦ同調回路２１ｂによって所望の周波数バンドの信号(ＯＦＤＭ信号)が取り出され、次いでＰＬＬ７０ｂと１ｓｔミキサ２２ｂによってＯＦＤＭ信号の位相同調が行われる。次いで、帯域フィルタ２３ｂによる帯域フィルタリング、２ｎｄミキサ２４ｂによるダウンコンバート等が順次行われ、スレーブＯＦＤＭ部３０ｂが処理しやすいアナログ信号を生成する。生成されたアナログ信号は、スレーブＯＦＤＭ部３０ｂに送られる。
【００２４】
スレーブＯＦＤＭ部３０ｂは、チューナ部２０ｂから送られたアナログ信号に対して、Ａ／Ｄ変換、シリアル−パラレル変換、高速フーリエ変換を順次実施し、複数のシンボルを得る。次いで、この複数のシンボルはマスターＯＦＤＭ部３０ａに送られる。
【００２５】
マスターＯＦＤＭ部３０ａは、マスターＯＦＤＭ部３０ａ自身が復号した複数のシンボルと、スレーブＯＦＤＭ部３０ｂから送られた複数のシンボルを合成し、劣化の少ないシンボルを得る。次いで、この複数のシンボルをシングルキャリアのデータに戻す。以上の手順を経て、シングルキャリアのデータである映像情報が復号される。この映像情報はＭＰＥＧ形式のデータストリームである。次いで、復号された映像情報はＭＰＥＧ部５０に送られる。
【００２６】
ＭＰＥＧ部５０は、映像情報をアナログビデオ信号等のビデオ信号及びオーディオ信号に変換し、映像切り換えスイッチ６０に送る。
【００２７】
続いて、アナログ放送受信手順に付き説明する。
【００２８】
アナログアンテナ１１ａ〜１１ｄが受信した信号は、アナログ信号切り換えスイッチ８３に送られる。アナログ信号切り換えスイッチ８３は、アナログアンテナ１１ａ〜１１ｄのいずれか１つが受信した信号のみをチューナ部２０ｂに送るものである。なお、アナログアンテナ１１ａ〜１１ｄのいずれからの信号をチューナ部２０ｂに送るかは、ＡＴＶダイバー制御部８２によって選択される。ＡＴＶダイバー制御部８２は、ＡＴＶ復調部８１(後述)の出力レベルが所定の基準値を下回った場合にチューナ部２０ｂと接続されるアンテナを切り換える。
【００２９】
また、アナログ信号切り換えスイッチ８３、スレーブアンテナ１０ｂ、チューナ部２０ｂの間には３方切り換えスイッチ８４が配設されている。３方切り換えスイッチ８４は、アナログ信号切り換えスイッチ８３から出力されるアナログ放送信号と、スレーブアンテナ１０ｂから出力されるデジタル放送信号のいずれか一方を選択的にチューナ部２０ｂに送るものである。なお、アナログ放送信号とデジタル信号のいずれをチューナ部２０ｂに送るかは、図示しないマイコンによって選択される。
【００３０】
チューナ部２０ｂでは、ＵＨＦ／ＶＨＦ同調回路２１ｂによって所望の周波数バンドの信号が取り出され、次いでＰＬＬ７０ｂと１ｓｔミキサ２２ｂによって位相同調が行われる。１ｓｔミキサ２２ｂの出力は、ＡＴＶ用映像フィルタ２５とＡＴＶ用音声フィルタ２６に送られる。ＡＴＶ用映像フィルタ２５とＡＴＶ用音声フィルタ２６は、それぞれ映像信号と音声信号のフィルタリングを行い、ＡＴＶ復調部８１に送る。
【００３１】
ＡＴＶ復調部８１は、ＡＴＶ用映像フィルタ２５とＡＴＶ用音声フィルタ２６をそれぞれダウンコンバートし、アナログビデオ信号等のビデオ信号及びオーディオ信号を生成する。この生成された信号は、映像切り換えスイッチ６０に送られる。
【００３２】
映像切り換えスイッチ６０には図示しないモニタおよびスピーカが接続されている。映像切り換えスイッチは、ＡＴＶ部８１から送られるビデオ信号及びオーディオ信号、ＭＰＥＧ部５０から送られるビデオ信号及びオーディオ信号のいずれか一方を、モニタおよびスピーカに出力し、受信装置１００のユーザは、音声付き動画像を視聴できる。なお、ＡＴＶ部８１及びＭＰＥＧ部５０のいずれからのビデオ信号及びオーディオ信号をモニタおよびスピーカに出力するかは、図示しないマイコンによって選択される。
【００３３】
本実施形態においては、図示しないマイコンによって、アナログアンテナ１１ａ〜１１ｄが受信したアナログテレビジョン放送とマスター/スレーブアンテナ１１ａ，１１ｂが受信したデジタルテレビジョン放送のうち、受信状態の良いものが選択的に視聴されるようになっている。マイコンによる放送切り換えの手順を以下に説明する。図２は、マイコンによって実行される放送切換ルーチンのフローチャートである。なお、このルーチンは受信装置１００の起動と同時に実行される。本ルーチンが開始すると、最初にステップＳ１０１が実行される。なお、受信装置１００の起動時は、スレーブアンテナ１０ｂによって受信された信号がチューナ部２０ｂに送られるようになっている。
【００３４】
ステップＳ１０１では、マスター側ＯＦＤＭ部３０ａによって合成されたシンボルのＢＥＲ(ビットエラーレート)の算出が行われる。ここで、ＢＥＲが一定基準（例えば10-2）を上回っている場合は、信号の劣化が大きいものと判断される。ＢＥＲが一定基準を上回っている状態が一定時間(例えば３秒)続くと、ステップＳ１０２に進む。ＢＥＲが一定基準を下回るか、ＢＥＲが一定基準を上回っている状態が続いているのが一定時間未満であれば、引き続きステップＳ１０１が実行される。すなわち、ステップＳ１０１においては、ＢＥＲが一定基準を上回っている状態が一定時間続くまで待機するステップである。
【００３５】
ステップＳ１０２では、チューナ部２０ｂがアナログテレビジョン放送の信号を処理できるように、各種設定が行われる。具体的には、ＰＬＬ７０ｂに入力される分周比、及び同調回路２１ｂの周波数バンドが変更される。また、アナログ信号切り換えスイッチ８３の出力がチューナ部２０ｂに入力されるように、３方切り換えスイッチ８４を切り換える。この時点より、ＡＴＶ復調部８１は、映像切り換えスイッチ６０にビデオ信号及びオーディオ信号を送り始める。なお、この時点以降は、マスター側ＯＦＤＭ部は、マスターアンテナ１０ａからチューナ部１０ａを経由して得られた信号のみを処理する。次いで、ステップＳ１０３に進む。
【００３６】
ステップＳ１０３では、アナログテレビジョン放送のチャンネルを、ステップＳ１０２以前に受信していたデジタルテレビジョン放送と同一系列のものに選局する。なお、この選局は、同一系列のデジタルテレビジョン放送とアナログテレビジョン放送が記憶されたテーブルをマイコンが参照することによって実施される。次いで、ステップＳ１０４に進む。
【００３７】
ステップＳ１０４では、マイコンはチューナ部２０ｂのＡＧＣ(オートゲインコントロール)出力を取得し、これのＡＧＣレベルのチェックを行う。ＡＧＣレベルは、受信した信号の電界強度を示す指標であり、ＡＧＣレベルが高くなるほど電解強度は大きくなる。即ち、チューナ部２０ｂのＡＧＣレベルが小さいということは、アナログアンテナの受信した電波が弱く、従って雑音成分を多く含んでいることを意味する。ステップＳ１０４において、ＡＧＣレベルが所定の基準値を上回っているのであれば(Ｓ１０４：ＹＥＳ)、ステップＳ１０５に進む。
【００３８】
ステップＳ１０５では、マイコンは映像切り換えスイッチ６０を制御し、ＡＴＶ復調部８１の出力をモニタ及びスピーカに出力する。次いで、ステップＳ１０６に進む。
【００３９】
ステップＳ１０６では、マスター側ＯＦＤＭ部３０ａによって生成されたシンボルのＢＥＲの算出が行われる。ＢＥＲが一定基準を下回っている状態が一定時間(例えば３秒)続くと、ステップＳ１０７に進む。ＢＥＲが一定基準を上回るか、ＢＥＲが一定基準を下回っている状態が続いているのが一定時間未満であれば、引き続きステップＳ１０６が実行される。すなわち、ステップＳ１０６においては、ＢＥＲが一定基準を下回っている状態が一定時間続くまで待機するステップである。
【００４０】
ステップＳ１０７では、チューナ部２０ｂがデジタルテレビジョン放送の信号を処理できるように、各種設定が行われる。具体的には、ＰＬＬ７０ｂに入力される分周比、及び同調回路２１ｂの周波数バンドが変更される。また、スレーブアンテナ１０ｂの出力がチューナ部２０ｂに入力されるように、３方切り換えスイッチ８４を切り換える。この時点より、スレーブ側ＯＦＤＭ部３０ｂが、映像切り換えスイッチ６０にビデオ信号及びオーディオ信号を送り始める。なお、この時点以降は、マスター側ＯＦＤＭ部３０ａは合成ダイバーシティを行う。次いで、ステップＳ１０８に進む。
【００４１】
ステップＳ１０８では、マイコンは映像切り換えスイッチ６０を制御し、ＭＰＥＧ部５０の出力をモニタ及びスピーカに出力する。次いで、ステップＳ１０１に戻る。
【００４２】
一方、ステップＳ１０４において、ステップＳ１０４において、ＡＧＣレベルが所定の基準値を下回っているのであれば(Ｓ１０４：ＮＯ)、ステップＳ１１１に進む。ステップＳ１１１では、受信可能なアナログテレビジョン放送の放送局をサーチする。サーチ結果はモニタに表示される。次いで、ステップＳ１１２に進む。
【００４３】
ステップＳ１１２では、受信装置１００のユーザは、受信装置１００を操作して、ステップＳ１１１のサーチ結果の中から所望の放送局を選択するか、引き続きデジタルテレビジョン放送を視聴する (すなわち、デジタルテレビジョン放送信号の強度が回復するまで待機する) ことを選択する。ユーザが他のアナログテレビジョン放送局を視聴することを選択した場合(Ｓ１１２：ＹＥＳ)はステップＳ１１３に進む。
【００４４】
ステップＳ１１３では、マイコンは、チャンネルをステップＳ１１２で選択された放送局に選局し、次いで映像切り換えスイッチ６０を制御し、ＡＴＶ復調部８１の出力をモニタ及びスピーカに出力する。次いで、ステップＳ１１４に進む。
【００４５】
ステップＳ１１４では、デジタルテレビジョン放送のチャンネルを、ステップＳ１１３で受信していたデジタルテレビジョン放送と同一系列のものに選局する。こうすることによって、デジタルテレビジョン放送信号の強度が回復したときは、それまで視聴していたアナログテレビジョン放送の番組と同一の番組を放映しているデジタルテレビジョン放送局に切り換るようになる。次いで、ステップＳ１０６に進む。
【００４６】
一方、ステップＳ１１２において、ユーザが引き続きデジタルテレビジョン放送を視聴することを選択した場合(Ｓ１１２：ＮＯ)は、ステップＳ１２１に進む。ステップＳ１２１では、チューナ部２０ｂがデジタルテレビジョン放送の信号を処理できるように、各種設定が行われる。具体的には、ＰＬＬ７０ｂに入力される分周比、及び同調回路２１ｂの周波数バンドが変更される。また、スレーブアンテナ１０ｂの出力がチューナ部２０ｂに入力されるように、３方切り換えスイッチ８４を切り換える。この時点より、スレーブ側ＯＦＤＭ部３０ｂが、映像切り換えスイッチ６０にビデオ信号及びオーディオ信号を送り始める。なお、この時点以降は、マスター側ＯＦＤＭ部３０ａは合成ダイバーシティを行う。次いで、ステップＳ１０１に戻る。
【００４７】
以上のルーチンが実行されることによって、デジタルテレビジョン放送視聴時にデジタルテレビジョン放送信号の強度が低下すると、自動的に同一の番組を放送しているアナログテレビジョン放送局にチャンネルが切り換る。次いで、デジタルテレビジョン放送信号の強度が回復すると、自動的にデジタルテレビジョン放送局にチャンネルが切り換る。
【図面の簡単な説明】
【００４８】
【図１】本発明の実施形態のテレビジョン放送受信装置の概略構成を表す図である。
【図２】本発明の実施形態による、アンテナ切換ルーチンのフローチャートである。
【符号の説明】
【００４９】
１０ａ          マスターアンテナ
１１ａ、１１ｂ  アナログアンテナ
１１ｃ、１１ｄ  アナログアンテナ
１０ｂ            スレーブアンテナ
２０ａ          マスター側チューナ部
２１ａ、２１ｂ  同調回路
２２ａ、２２ｂ  １ｓｔミキサ
２３ａ、２３ｂ  帯域フィルタ
２４ａ、２４ｂ  ２ｎｄミキサ
２５            ＡＴＶ用映像フィルタ
２６            ＡＴＶ用音声フィルタ
２０ｂ          スレーブ側チューナ部
３０ａ          マスターＯＦＤＭ部
３０ｂ          スレーブＯＦＤＭ部
４０            マイコン
５０            ＭＰＥＧ部
６０            映像切り換えスイッチ
７０ａ、７０ｂ  ＰＬＬ
８１            ＡＴＶ部
８２            ＡＴＶダイバー制御部
８３            アナログ信号切り換えスイッチ
８４            ３方切り換えスイッチ
１００            デジタルテレビジョン放送受信装置
【図１】
2005204059.tif 000003
【図２】
2005204059.tif 000004